(57)【要約】      （修正有）【課題】  分包用シートとホッパーとの摩擦によって発生する静電気に起因する悪影響を抑制可能な薬剤分包装置を提供する。【解決手段】  薬剤分包装置１は、薬剤供給部から払い出された散薬や錠剤を集めて分包紙１５に供給するホッパー２０を備えている。ホッパー２０の薬剤投下部２８には、分包紙１５の移動に伴って分包紙１５と擦れる摩擦部２８ｂがある。また、ホッパー２０に対して分包紙１５の移動方向上流側に電極３２が設けられている。薬剤分包装置１は、電極３２に高電圧を印加することによって発生するイオンを薬剤投下部２８の開口２８ａ近傍に照射し、帯電を解消あるいは防止することができる。【選択図】  図６
2007039111.tif 000002
【特許請求の範囲】
【請求項１】
分包用シートを移動させるシート搬送手段と、薬剤を投下するホッパーとを有し、分包用シートで作られる半袋状部内にホッパーから薬剤を投下し、その後分包用シートを完全な袋に仕上げる薬剤分包装置において、
ホッパーは、半袋状の分包用シートに挟まれて接触する位置に配されるものであり、
イオンを発生させるイオン発生装置を備え、イオン発生装置はイオン発生部を有し、前記イオン発生部は、分包用シートの半袋状部内にあることを特徴とする薬剤分包装置。
【請求項２】
分包用シートを移動させるシート搬送手段と、薬剤を投下するホッパーとを有し、分包用シートで作られる半袋状部内にホッパーから薬剤を投下し、その後分包用シートを完全な袋に仕上げる薬剤分包装置において、
ホッパーは、半袋状の分包用シートに挟まれて接触する位置に配されるものであり、
イオンを発生させるイオン発生装置を備え、イオン発生装置はイオン発生部を有し、
前記イオン発生部において発生するイオンを分包用シートの半袋状部内に導くイオン導通路を備えていることを特徴とする薬剤分包装置。
【請求項３】
分包用シートを移動させるシート搬送手段と、薬剤を投下するホッパーとを有し、分包用シートで作られる半袋状部内にホッパーから薬剤を投下し、その後分包用シートを完全な袋に仕上げる薬剤分包装置において、
ホッパーは、半袋状の分包用シートに挟まれて接触する位置に配されるものであり、
イオンを発生させるイオン発生装置を備え、イオン発生装置はイオン発生部を有し、前記イオン発生部は、ホッパーの近傍であって分包用シートの移動方向の上流側に設けられていることを特徴とする薬剤分包装置。
【請求項４】
イオン発生部は電極であることを特徴とする請求項１乃至３のいずれかに記載の薬剤分包装置。
【請求項５】
電極を保持する電極保持部材を有し、電極保持部材は分包用シートの半袋状部内にあり、電極保持部材の側面に電極が保持されていることを特徴とする請求項４に記載の薬剤分包装置。
【請求項６】
電極が保持されるガイド部材を有し、
分包用シートは予め複数のシートを重ね、その一辺側を接着するか、或いは一枚のシートを折り曲げることによって底部を形成し、前記シートの接着部分あるいは折り曲げ部分を除く他の辺に開放部を設けた半袋状となったものであり、
前記電極は、ガイド部材の側面に保持されており、
前記ガイド部材は、前記半袋状の分包用シートの開放部から挿入され、底部と接触可能であることを特徴とする請求項４に記載の薬剤分包装置。
【請求項７】
イオン発生装置は、分包用シートを構成する素材とホッパーを構成する素材の帯電列に基づいてホッパーが帯電するであろう電荷を帯びたイオンをより多く発生させるものであることを特徴とする請求項１乃至６のいずれかに記載の薬剤分包装置。
【請求項８】
散薬を落下させる散薬用ホッパーと、固形薬剤を落下させる固形薬剤用ホッパーと、両者の外側を覆う集合ホッパーを備え、散薬用ホッパーを落下する散薬及び固形薬剤用ホッパーを落下する固形薬剤は、共に集合ホッパーに集積され、集合ホッパーを介して分包用シートで作られる袋内に薬剤が導入されるものであり、
集合ホッパーには吸引装置が接続され、
固形薬剤用ホッパーの投入側には開閉可能な蓋部材が設けられていることを特徴とする請求項１乃至７のいずれかに記載の薬剤分包装置。
【請求項９】
分包用シートを移動させるシート搬送手段と、薬剤を投下するホッパーを備えたホッパーとを有し、分包用シートで作られる袋内にホッパーから投下された薬剤を導入する薬剤分包装置において、
ホッパーは、前記分包用シートに接触する位置に配されるものであり、
イオンを発生させるイオン発生装置を備え、イオン発生装置は分包用シートを構成する素材とホッパーを構成する素材の帯電列に基づき、ホッパーが帯電するであろうと想定される電荷を帯びたイオンをより多く発生させるものであることを特徴とする薬剤分包装置。
【発明の詳細な説明】
【技術分野】
【０００１】
本発明は、薬剤を分包する薬剤分包装置に関するものである。特に本発明の薬剤分包装置は、散薬等の粉状又は粒子状の薬剤を分包するものである。
【背景技術】
【０００２】
散薬を処方に応じて一包づつ分包する薬剤分包装置が特許文献１に開示されている。
特許文献１に記載された薬剤分包装置は、薬剤を分割する薬剤分割部と、薬剤を分包する分包部を備えている。
そして例えば３日分の散薬を計量して薬剤分割部に投入する。薬剤分割部においては、投入された薬剤を服用回数に応じて分割される。分割された薬剤は、ホッパーに投入され、後段の分包部に送られる。そしてホッパーから排出された薬剤が、一包づつ分包される。
【０００３】
また前記した特許文献１とは技術分野が相違するが、粉体を分包するものとして特許文献２に開示された装置が知られている。
特許文献２に開示された装置は、コーヒの粉を袋詰めする分包装置である。特許文献２に開示された装置は、コーヒの粉が静電気を帯びてファネルチューブに付着し、これが落下して熱シール部に噛み込むことがあるので、この対策を講じたものである。
即ちコーヒの粉を袋詰めする装置は、ホッパー内にコーヒを大量に充填し、これをアジテータでかき混ぜ、さらにオーガ軸でコーヒを下方に送って袋詰めするものである。そのためコーヒの粉は、ホッパーやアジテータ及びオーガ軸と接触し、帯電する。
そこで特許文献２に開示された装置では、イオンを吹きつけることによってコーヒの静電気を中和している。
特許文献２に開示された装置は、イオン発生装置と送風機と多数のノズルを備えている。そしてノズルをシートの外側に配し、イオン発生装置で発生させたイオンを送風機が発生する送風に乗せてノズルから噴射し、シート内にあるファネルチューブにイオンを供給する。
【特許文献１】特開２００４−３０５７２１号公報
【特許文献２】特開２００２−５９９０４号公報
【発明の開示】
【発明が解決しようとする課題】
【０００４】
散薬を分包する薬剤分包装置は、ホッパーを持つが、ホッパーと薬剤が接触する機会はコーヒの袋詰め装置に比べると極めて短い。即ち前記した様に薬剤分包装置では、分割された薬剤がホッパーに投入されて後段の分包部に送られるが、ホッパーの役目は、単なるシューターに過ぎず、薬剤がホッパ内に滞留する時間は極めて短い。また薬剤分包装置では、ホッパーは単なるシューターに過ぎないから、ホッパー内で攪拌されたり、オーガ軸と接触することもない。従ってホッパーとの接触によって薬剤が帯電する現象は比較的少ない。
しかしながら、前記した薬剤分包装置は、薬剤を一包づつ分包するものであるから、各袋に充填される薬剤の量は僅かである。従って薬剤分包装置は、相対的に分包用シートの搬送量が多く、分包用シートとホッパとの接触機会が多い。そのため薬剤分包装置では、ホッパーが帯電し、適切な分包ができない場合があるという問題がある。
【０００５】
また技術分野が異なるものの、特許文献２に開示された技術を応用することも考えられるが、特許文献２に開示された技術は、イオン発生装置の他に送風機と多数のノズルが必要であり、場所をとるという問題がある。即ち特許文献２に開示された技術は、コーヒの粉を袋詰めするための装置であり、工場内に設置されるものであるから、装置は多少大型となっても差し支えないのに対し、薬剤分包装置は、薬局や病院に設置されるものであるから、外形形状が小型であることが重要である。そのため特許文献２に開示された技術を採用することはできない。
また薬剤分包装置が設置される場所は、清浄な場所でなければならないが、多数のノズルがあると埃が立つ。この点からも特許文献２に開示された技術は採用しがたい。
そこで本発明は、従来技術の上記した問題点に注目し、小型でありながら静電気による悪影響を除去することができる薬剤分包装置の提供を課題とするものである。
【課題を解決するための手段】
【０００６】
そして上記した課題を解決するための請求項１に記載の発明は、分包用シートを移動させるシート搬送手段と、薬剤を投下するホッパーとを有し、分包用シートで作られる半袋状部内にホッパーから薬剤を投下し、その後分包用シートを完全な袋に仕上げる薬剤分包装置において、ホッパーは、半袋状の分包用シートに挟まれて接触する位置に配されるものであり、イオンを発生させるイオン発生装置を備え、イオン発生装置はイオン発生部を有し、前記イオン発生部は、分包用シートの半袋状部内にあることを特徴とする薬剤分包装置である。
【０００７】
本発明の薬剤分包装置は、分包用シートで作られる半袋状部内にホッパーから薬剤を投下し、その後分包用シートを完全な袋に仕上げる薬剤分包装置である。そして本発明の薬剤分包装置では、イオン発生部は、分包用シートの半袋状部内にある。そのため発生したイオンは、分包用シートの半袋状部内に入り、分包用シートとの摩擦によってホッパーに帯電した静電気を中和する。
イオン発生部の位置は、分包用シートの移動方向の上流側であることが望ましいが、下流側であってもよい。
本発明では、分包用シートがイオン導通路として機能し、イオンをホッパーに運ぶものであるとも言える。
【０００８】
なお、本明細書において、「ホッパー」は、分包用シートで作られる半袋状部に薬剤を投下可能な装置を総称するものであり、従来公知のものと同様に漏斗状の形状を有するものや、管状のもの等、薬剤を投下可能なものであれば形状や形態は問わない。
【０００９】
請求項２に記載の発明は、分包用シートを移動させるシート搬送手段と、薬剤を投下するホッパーとを有し、分包用シートで作られる半袋状部内にホッパーから薬剤を投下し、その後分包用シートを完全な袋に仕上げる薬剤分包装置において、ホッパーは、半袋状の分包用シートに挟まれて接触する位置に配されるものであり、イオンを発生させるイオン発生装置を備え、イオン発生装置はイオン発生部を有し、前記イオン発生部において発生するイオンを分包用シートの半袋状部内に導くイオン導通路を備えていることを特徴とする薬剤分包装置である。
【００１０】
本発明の薬剤分包装置は、イオン導通路を有するため、イオン発生部において発生したイオンを効率よく分包用シートの半袋状部内に導き、ホッパーに照射できる。そのため、本発明の薬剤分包装置では、ホッパーに帯電した静電気をスムーズに中和することができる。
【００１１】
本発明において、イオン導通路の形状や素材等は特に限定されるものではないが、例えば樹脂で作られた筒や、樋状のもの、あるいは誘導壁状のものが推奨される。
【００１２】
請求項３に記載の発明は、分包用シートを移動させるシート搬送手段と、薬剤を投下するホッパーとを有し、分包用シートで作られる半袋状部内にホッパーから薬剤を投下し、その後分包用シートを完全な袋に仕上げる薬剤分包装置において、ホッパーは、半袋状の分包用シートに挟まれて接触する位置に配されるものであり、イオンを発生させるイオン発生装置を備え、イオン発生装置はイオン発生部を有し、前記イオン発生部は、ホッパーの近傍であって分包用シートの移動方向の上流側に設けられていることを特徴とする薬剤分包装置である。
【００１３】
本発明の薬剤分包装置では、分包用シートを移動させるシート搬送手段を有し、分包用シートが絶え間なく送られる。そのため分包用シートの近傍には、僅かではあるが分包用シートの搬送方向に沿った空気流が生じる。
一方、本発明では、イオン発生部は、ホッパーの近傍であって分包用シートの移動方向の上流側に設けられている。そのため、イオンは、分包用シートの動きに沿って移動し、ホッパーに至り、ホッパーに帯電した静電気を中和する。従って、本発明の薬剤分包装置では、分包用シートとホッパーとが摩擦を起こしても、ホッパーに薬剤が付着したり、予期せぬ場所に薬剤が落下するといったような不具合の発生を防止できる。
【００１４】
ここで、本発明は、分包用シートを移動させるシート搬送手段と、薬剤を投下するホッパーを備えたホッパーとを有し、分包用シートで作られる袋内にホッパーから投下された薬剤を導入する薬剤分包装置において、イオンを発生させるイオン発生装置を備え、イオン発生装置はイオン発生部を有し、イオン発生装置はホッパーに対して直接的にイオンを照射可能な構成であってもよい。
【００１５】
前記した特許文献２に開示された発明では、シートの外側からイオンを供給するものであったから、肝心の帯電部に至るイオン量が少ないものであった。これに対して上記したような構成とすれば、ホッパーに対して直接的にイオンを照射可能であるため、より効率よく帯電を防止することができる。
【００１６】
請求項４に記載の発明は、イオン発生部は電極であることを特徴とする請求項１乃至３のいずれかに記載の薬剤分包装置である。
【００１７】
イオン発生部は電極であるから形状が小さい。そのため薬剤分包装置の全体形状を小型化することができる。
【００１８】
請求項５に記載の発明は、電極を保持する電極保持部材を有し、電極保持部材は分包用シートの半袋状部内にあり、電極保持部材の側面に電極が保持されていることを特徴とする請求項４に記載の薬剤分包装置である。
【００１９】
本発明の薬剤分包装置では、電極を保持する電極保持部材を有する。そして電極は、電極保持部材の側面に保持されている。
本発明では、電極保持部材は、分包用シートの半袋状部内にあるが、電極は、前記した様に電極保持部材の側面に保持されているから、電極保持部材が分包用シートに触れたとしても電極が分包用シートと触れるのを防止できる。そのため本発明の薬剤分包装置では、電極によって分包用シートを傷つけるのを防止できる。
【００２０】
請求項６に記載の発明は、電極が保持されるガイド部材を有し、分包用シートは予め複数のシートを重ね、その一辺側を接着するか、或いは一枚のシートを折り曲げることによって底部を形成し、前記シートの接着部分あるいは折り曲げ部分を除く他の辺に開放部を設けた半袋状となったものであり、前記電極は、ガイド部材の側面に保持されており、前記ガイド部材は、前記半袋状の分包用シートの開放部から挿入され、底部と接触可能であることを特徴とする請求項４に記載の薬剤分包装置である。
【００２１】
本発明の薬剤分包装置では、電極保持部材の一部が半袋状となった分包用シートの底部と接触可能である。そのため本発明では、電極保持部材がシートの浮き上がり防止機能を兼ねている。
即ち薬剤分包装置では、各袋に充填される薬剤量はまちまちである。また機器によっては錠剤等の固形薬剤も同時に分包される場合もある。従って、時には相当に大量の薬剤が袋に充填される場合もある。
しかしながら、袋に大量の薬剤を充填すると、袋が膨らみ、袋の底が引っ張られて上方に移動する場合がある。
そこで本発明では、電極保持部材の一部が半袋状となった分包用シートの底部と接触しうる構成とし、底の上昇を抑えることとした。
【００２２】
本発明では、電極が、ガイド部材の側面に取り付けられる。そのため、上記したようにガイド部材の先端によって分包用シートの底を押さえたとしても、電極が分包用シートに触れるのを防止できる。従って、本発明の薬剤分包装置においても、電極によって分包用シートが損傷するのを防止できる。
【００２３】
なお、本発明および以下の記載において、「接着」とは、接着剤や糊等を用いてシートをくっつけたり、シートを重ね合わせて溶着する等の手法でシートをつなぎ合わせる概念を示すものである。
【００２４】
請求項７に記載の発明は、イオン発生装置は分包用シートを構成する素材とホッパーを構成する素材の帯電列に基づいてホッパーが帯電するであろう電荷を帯びたイオンをより多く発生させるものであることを特徴とする請求項１乃至６のいずれかに記載の薬剤分包装置である。
【００２５】
本発明は、前記した様に分包用シートを移動させるシート搬送手段を有するものであり、分包用シートとホッパーとの接触に起因する帯電を防止するものである。そこで本発明者らは、当初、分包用シートを構成する素材とホッパーを構成する素材の帯電列に基づいてホッパーが帯電するであろう電荷に対して反対極性の電荷を帯びたイオンをホッパーに照射し、ホッパーの帯電を中和しようとした。
しかしながら、この実験は失敗であり、ホッパーにはより大量の薬剤が付着してしまった。
この原因を追求したところ、次の通りであった。即ち分包用シートは、常時走行しており、ホッパーの脇の部分（側面部）と常時接触しているから、ホッパーの脇の部分は、分包用シートを構成する素材とホッパーを構成する素材の帯電列に基づいてホッパーが帯電するであろう電荷に帯電する。
しかしながら、ホッパーの突端部分は、分包用シートと接していない。そのためホッパーの大部分は、分包用シートを構成する素材とホッパーを構成する素材の帯電列に基づいてホッパーが帯電するであろう電荷に帯電しているが、突端部分だけは、逆の電荷が帯電している。
そのためホッパーが帯電するであろう電荷に対して反対極性の電荷を帯びたイオンをホッパーに照射すると、却って薬剤の付着量が増大するという予期しない結果を招いてしまったのであった。
そこで本発明は、この知見に基づいて完成されたものであり、イオン発生装置は分包用シートを構成する素材とホッパーを構成する素材の帯電列に基づいてホッパーが帯電するであろう電荷を帯びたイオンをより多く発生させることとした。その結果、ホッパーの突端部分の電荷が中和され、薬剤の付着が解消した。
【００２６】
請求項８に記載の発明は、散薬を落下させる散薬用ホッパーと、固形薬剤を落下させる固形薬剤用ホッパーと、両者の外側を覆う集合ホッパーを備え、散薬用ホッパーを落下する散薬及び固形薬剤用ホッパーを落下する固形薬剤は、共に集合ホッパーに集積され、集合ホッパーを介して分包用シートで作られる袋内に薬剤が導入されるものであり、集合ホッパーには吸引装置が接続され、固形薬剤用ホッパーの投入側には開閉可能な蓋部材が設けられていることを特徴とする請求項１乃至７のいずれかに記載の薬剤分包装置である。
【００２７】
本発明の薬剤分包装置は、薬剤の混合をより完全に防止する機能を兼ね備えたものである。
即ち薬剤分包装置は個々の看者の処方に応じて薬剤を一包づつ分包するものであるから、毎回毎回、ホッパーを通過する薬剤が異なる。そのため、薬剤分包装置では、ホッパー内を清浄な状態に維持可能な構成であることが望ましい。
かかる知見に基づき、本発明の薬剤分包装置では、集合ホッパーに吸引装置を接続し、ホッパー内の清掃を可能にした。
また本発明では、固形薬剤用ホッパーの投入側に開閉可能な蓋部材を設けた。そのため本発明では、散薬用ホッパーの清掃をより完全に行うことができる。即ち、散薬用ホッパーと、固形薬剤用ホッパーとを有し、散薬と固形薬剤の双方を取り扱うことができる構成である場合は、一般的に固形薬剤よりも散薬の方がホッパー（散薬用ホッパー）に付着しやすく、掃除を行わねばならない蓋然性が高い。しかしながら、従来技術においては、固形薬剤用ホッパーの投入側は、常時開放であり、これを閉じる機能を持つものは知られていない。そのため集合ホッパーには吸引装置を接続し、集合ホッパー内を吸引すると、固形薬剤用ホッパーの投入側から大量の空気が吸入されてしまい、肝心の散薬用ホッパーを通過する空気量が減少してしまうという問題があった。そこで本発明では、固形薬剤用ホッパーの投入側には開閉可能な蓋部材が設け、必要に応じて固形薬剤用ホッパーの投入側を閉じ、散薬用ホッパーを通過する空気量の減少を阻止した。
【００２８】
請求項９に記載の発明は、分包用シートを移動させるシート搬送手段と、薬剤を投下するホッパーを備えたホッパーとを有し、分包用シートで作られる袋内にホッパーから投下された薬剤を導入する薬剤分包装置において、ホッパーは、前記分包用シートに接触する位置に配されるものであり、イオンを発生させるイオン発生装置を備え、イオン発生装置は分包用シートを構成する素材とホッパーを構成する素材の帯電列に基づき、ホッパーが帯電するであろうと想定される電荷を帯びたイオンをより多く発生させるものであることを特徴とする薬剤分包装置である。
【００２９】
本発明の薬剤分包装置は、イオン発生装置は分包用シートを構成する素材とホッパーを構成する素材の帯電列に基づいてホッパーが帯電するであろう電荷を帯びたイオンをより多く発生させることとし、ホッパーの突端部分の電荷を中和して、薬剤の付着を解消させるものである。
【００３０】
本発明の薬剤分包装置は、分包用シートを移動させるシート搬送手段と、薬剤を投下するホッパーとを有し、分包用シートで作られる半袋状部内にホッパーから薬剤を投下し、その後分包用シートを完全な袋に仕上げる薬剤分包装置において、分包用シートは予め複数のシートが重ねられてその一辺側が接着されて半袋状となったものであるか、或いは一枚のシートを折り曲げて半袋状を構成するものであり、イオンを発生させるイオン発生装置を備え、イオン発生装置は分包用シートを構成する素材とホッパーを構成する素材の帯電列に基づいてホッパーが帯電するであろう電荷を帯びたイオンをより多く発生させるものであり、前記イオン発生装置はイオン発生電極を有し、さらにイオン発生電極を保持する電極保持部材を有し、電極保持部材は分包用シートの半袋状部内であって分包用シートの移動方向の上流側に設けられており、電極保持部材の中間部にイオン発生電極が保持され、電極保持部材の一部が半袋状となった分包用シートの底部と接触可能な構成であってもよい。
【００３１】
かかる構成の薬剤分包装置は、前述した各発明の主要な機能を兼ね備えたものであり、ホッパーへの薬剤の付着が少ない。
【発明の効果】
【００３２】
本発明によれば、小型でありながら、分包用シートとホッパーとの摩擦によって発生する静電気に起因する悪影響を抑制可能な薬剤分包装置を提供できる。
【発明を実施するための最良の形態】
【００３３】
続いて、本発明の一実施形態である薬剤分包装置について、図面を参照しながら詳細に説明する。図１において、１は本実施形態の薬剤分包装置である。薬剤分包装置１は、錠剤や散薬を処方に基づいて所定量ずつ取り分け、袋詰め（分包）する装置である。薬剤分包装置１は、図１に示すように、本体４の天面側に薬剤供給部２の一部が露出しており、本体４の内部に分包紙供給部３および分包部５が内蔵された構成となっている。
【００３４】
薬剤供給部２は、錠剤や散薬（以下、必要に応じて薬剤と総称する）を取り分けて分包部５に供給するために設けられたものである。薬剤供給部２は、従来公知の薬剤分包装置において採用されているのと同様の構成とされている。本実施形態の薬剤分包装置１では、薬剤供給部２は、錠剤を処方に基づいて取り分けて供給するための錠剤供給部６と、散薬を取り分けて供給するための散薬供給部７とを有する。
【００３５】
錠剤供給部６は、図１に示すように格子状の仕切りで区切られ、天面側が開放した複数の錠剤収容部８を有する。錠剤収容部８は、天面側から錠剤を手撒きにより収容することができる。錠剤供給部６は、必要に応じて錠剤収容部８毎に底板（図示せず）を開閉し、後述する容器３４を介して分包部５側に落とし込むことができる構成とされている。
【００３６】
散薬供給部７は、図４に示すように、桝１０と分割容器１１とを有する。桝１０は、図１に示すように本体４の天面側に露出している。桝１０は、断面形状が略「Ｖ」字形で樋状の部材である。また、分割容器１１は、図１や図４に示すように、本体４の内側に配置されている。分割容器１１は、図４に示すように、桝１０に対して下方側の所定の平面上に複数（本実施例では４つ）並べて配置されており、桝１０からの散薬の払い出しや後述するホッパー２０への散薬の払い出しにあわせて前記平面上で適宜位置を入れ替えることができる。
【００３７】
分割容器１１は、それぞれ長手方向に複数の散薬収容部１２に仕切られた構成とされている。散薬収容部１２は、錠剤収容部８と同様に天面側が開放されている。散薬供給部７は、桝１０に散薬を投入し、これを平坦になるように均して下方に待機している分割容器１１に落下させることにより、散薬を待機中の分割容器１１の各散薬収容部１２に均等に分けることができる構成となっている。分割容器１１は、それぞれ後述する分包部５のホッパー２０の位置まで移動することができる。そのため、分割容器１１をホッパー２０の位置まで移動させ、その後に散薬収容部１２毎に開閉自在な底板を開閉すれば、散薬をホッパー２０に落とし込むことができる。
【００３８】
分包紙供給部３は、分包紙１５（分包用シート）を分包部５に対して供給するためのものであり、従来公知の薬剤分包装置において採用されているものと同様の構成とされている。本実施形態の薬剤分包装置１では、分包紙供給部３は、分包紙１５をロール状に巻回した分包紙ロール１７をセットするためのロールホルダー１６と、分包紙ロール１７から引き出された分包紙１５に分包部５で分包される薬剤の説明や、薬剤の処方を受ける患者の氏名のような所定の情報を印刷するための印刷ユニット１８とを備えた構成とされている。
【００３９】
分包紙１５には、図５に示すように帯状で長尺のシート１３を短手方向略中央部で折り畳んだものや、２枚のシート１３ａ，１３ｂを重ね合わせ、短手方向一端側の端部を長手方向に沿って貼り合わせてシールしたもの等を採用することができる。すなわち、分包紙１５は、短手方向一端側に閉塞された部分（閉塞部１５ａ）があり、他端側に開放された部分（開放部１５ｂ）を有する半袋状の状態とされている。
【００４０】
分包部５は、本実施形態の薬剤分包装置１に特有の構造を有する部分であり、ホッパー２０、ガイド部材３０および分包ユニット４０を備えた構成とされている。分包部５は、ホッパー２０によって回収された薬剤を分包紙供給部３から供給されてきた分包紙１５によって分包する部分である。
【００４１】
ここで、分包紙１５は、図２や図３に破線で示すように、分包紙供給部３の印刷ユニット１８側に固定されている支持軸１９に懸架される。また、分包紙１５の先端側は、後述する分包ユニット４０内に設けられたローラ５０，５１に挟まれた状態でセットされる。これにより、分包紙１５は、支持軸１９と分包ユニット４０との間で一定の張力で引っ張られた状態で支持される。また、分包紙１５は、ローラ５０，５１を作動させることにより、支持軸１９側から分包ユニット４０側に進行させることができる。すなわち、ローラ５０，５１は、分包紙１５を移動させるための搬送手段（シート搬送手段）としての機能を発揮する。分包紙１５は、図６に示すように、閉塞部１５ａが下方に向き、後述するホッパー２０の薬剤投下部２８が開放部１５ｂから分包紙１５の内側に差し込まれている。
【００４２】
ホッパー２０は、上記した薬剤供給部２から供給された薬剤を集めて落下させ、半袋状に成形された分包紙１５内に充填するものである。ホッパー２０は、図７に示すように、漏斗状の回収部２１と、供給部２２（集合ホッパー）とを組み合わせて構成されている。
【００４３】
回収部２１は、薬剤供給部２のうち、錠剤供給部６の錠剤収容部８から落下した錠剤が通る錠剤通路２３（固形薬剤用ホッパー）と、散薬供給部７の散薬供給部１２から落下して散薬が通る散薬通路２５（散薬用ホッパー）とを有する。散薬通路２５の下方側に設けられた開口部には開閉板２６が取り付けられており、これを開閉することによって散薬を排出可能な構成とされている。開閉板２６は、散薬供給部１２から散薬通路２５に落とし込まれた散薬が一度に供給部２２側に落下するのを防止するストッパーとしての機能を有する。回収部２１は、開閉板２６を閉止した状態としておくことにより、散薬通路２５に落下した散薬が周辺に飛散するのを防止できる。
【００４４】
供給部２２は、樹脂製であり、ホルダー部２７と薬剤投下部２８とを有する。本実施形態では、供給部２２は、ポリスチレン樹脂によって構成されている。ホルダー部２７は、供給部２２を図７に示すような姿勢で設置した場合に、上方側から下方側に向けて貫通した略筒状の部材である。ホルダー部２７の側面２７ａには、排気口２７ｂが設けられている。
【００４５】
図１０に示すように、排気口２７ｂには、集塵装置２９が接続されている。これにより、供給部２２に落下して舞い上がった散薬や、供給部２２に残存している散薬を吸引して回収することができる。
【００４６】
薬剤投下部２８は、ホルダー部２７に連通した筒状の部位である。薬剤投下部２８は、断面形状が略楕円形となっており、この長尺方向が分包部５に供給される分包紙１５の進行方向に向くように設置されている。また、薬剤投下部２８は、図６に示すように、先端部分が前記した楕円の長軸方向中間部分において二股に分かれたような形状とされている。これにより、薬剤投下部２８から分包紙１５側に落下する散薬の飛散が防止されている。
【００４７】
ホッパー２０に対して分包紙１５の流れ方向上流側、すなわち支持軸１９側に隣接する位置には、ガイド部材３０が設置されている。ガイド部材３０は、図６に示すように、分包紙１５の開放部１５ｂ側から差し込まれる部材である。ガイド部材３０は、分包紙１５を案内すると共に、分包紙１５を構成するシート１３（１３ａ，１３ｂ）を薬剤投下部２８が納まるように開く部材である。
【００４８】
ガイド部材３０は、図６に示すように、分包紙１５を支持軸１９と分包ユニット４０との間にまっすぐに張った状態に設置した際に、先端部３１が閉塞部１５ａの近傍に到達する位置に固定されている。そのため、半袋状の分包紙１５に薬剤を大量に充填して膨らんだり、後述する分包ユニット４０内のローラ５０，５１の動作の具合等によって、分包紙１５の底（閉塞部１５ａ）がホッパー２０の薬剤投下部２８側に移動しようとしても、ガイド部材３０の端部が分包紙１５の内側から底（閉塞部１５ａ）に当たり、分包紙１５が持ち上がるのを防止できる。
【００４９】
図８に示すように、ガイド部材３０には、電極３２（イオン発生部）が取り付けられている。さらに具体的には、ガイド部材３０は、図８（ｂ）に示すように、ガイド部材本体３０ａと、電極保持部材３０ｂとを有する。ガイド部材本体３０ａの側面、すなわちガイド部材３０を本体４内に取り付けた際に、上記したホッパー２０に対向する部位には、電極保持部材３０ｂを差し込み可能なスリット３０ｃが設けられている。また、電極保持部材３０ｂには、電極３２と、電極３２を後述する高圧電源７１に接続するための端子３３とが取り付けられる。ガイド部材３０は、電極保持部材３０ｂに電極３２と端子３３とを取り付けた状態で、これをスリット３０ｃに差し込んで固定した構造となっている。
【００５０】
電極３２は、針状であり、ホッパー２０の薬剤投下部２８側に向くように取り付けられている。図６に示すように、電極３２の延長線上には、薬剤投下部２８が位置している。また、上記したように、ガイド部材３０は、薬剤分包装置１の駆動時に、ホッパー２０の薬剤投下部２８の先端と共に、シート１３（シート１３ａ，１３ｂ）によって半袋状に成形された分包紙１５の内側に配置される。そのため、電極３２は、分包部５に固定されると、図６に示すように半袋状の分包紙１５の内側に位置することとなる。
【００５１】
電極３２は、図９に示すように電気的に接続されてイオン発生装置７０を構成するものである。すなわち、イオン発生装置７０は、高圧電源７１とアースＧＮＤと電極３２とを電気的に接続して構成されるものである。イオン発生装置７０は、高圧電源７１を作動させて空中に設置された電極３２に高電圧を印加することにより、気中放電（コロナ放電）を生じさせることができる。
【００５２】
イオン発生装置７０により気中放電を発生させると、電極３２の周辺に存在している空気を電気的に分解し、イオン化することができる。さらに具体的には、イオン発生装置７０は、高圧電源７１により電極３２に正の高電圧を印加することにより、電極３２の周辺に正のイオンを発生させることができる。また、イオン発生装置７０は、高圧電源７１により電極３２に負の高電圧を印加することにより、電極３２の周辺に負のイオンを発生させることができる。本実施形態の薬剤分包装置１では、高圧電源７１により電極３２に正の高電圧を印加し、電極３２の周辺に正のイオンを発生させる構成とされている。
【００５３】
さらに詳細に説明すると、本実施形態の薬剤分包装置１は、分包紙１５の内側にホッパー２０の薬剤投下部２８が差し込まれた状態で、分包紙１５が順次シール部４５側に送り込まれて分包されるものである。この時、薬剤投下部２８の先端側にある薬剤投下用の開口部（以下、必要に応じて開口２８ａと称す）近傍は、分包紙１５から離れているが、図６にハッチングで示す前記開口部分よりも上方側にずれた位置（以下、必要に応じて摩擦部２８ｂと称す）が分包紙１５と摩擦して帯電する。
【００５４】
ここで、上記したように、薬剤投下部２８はポリスチレン樹脂製である。また、分包紙１５は、ポリエチレン樹脂によって表面がコーティングされたグラシン紙によって形成されている。そのため、下記の表１に示す帯電列（帯電系列）を参照すると、薬剤投下部２８の摩擦部２８ｂと分包紙１５とが摩擦すると、摩擦部２８ｂ近傍に正電荷が集中し、正に帯電した状態になる。摩擦部２８ｂ近傍に正電荷が集中すると、これに伴って開口２８ａ近傍に負電荷が偏在した状態になり、開口２８ａ近傍が負に帯電した状態になる。これにより、薬剤投下部２８を通過する散薬が負に帯電した開口２８ａ近傍に吸い寄せられて付着してしまい、薬剤の処方上の問題を生じる可能性が高い。
【００５５】
【表１】
2007039111.tif 000003
【００５６】
そこで、かかる知見に基づき、本実施形態では、イオン発生装置７０の電極３２から正のイオンを発生させ、これを薬剤投下部２８の開口２８ａ近傍に照射して開口２８ａ近傍の帯電を解消し、開口２８ａ近傍における散薬の付着を防止する構成としている。
【００５７】
分包紙１５は、帯状のシート１３（シート１３ａ，１３ｂ）の下端部に当たる閉塞部１５ａが接合された樋状の形状の半袋状物である。電極３２は、分包紙１５の内側に位置しており、ホッパー２０の薬剤投下部２８の先端部分の延長線上に位置している。そのため、分包紙１５の移動中に電極３２において気中放電を発生させると、これにより発生したイオンが分包紙１５の移動に伴って発生する僅かな気流に乗って流れ、薬剤投下部２８に到達する。すなわち、本実施形態の薬剤分包装置１では、分包紙１５が、気中放電によって発生するイオンを薬剤投下部２８に案内するイオン導通路として機能し、薬剤投下部２８の開口２８ａやこの近傍にイオンが集中的に照射される。これにより、開口２８ａ近傍の帯電状態がスムーズに解消され、散薬の付着が防止される。
【００５８】
図１０（ａ）に示すように、ホッパー２０の錠剤通路２３に対して隣接する位置には、駆動装置３５が設けられている。駆動装置３５は、上下に平行に配されたラック３６，３７と、これらに噛み合うピニオン３８とによって主要部が構成されている。ラック３６，３７は、それぞれ歯部３６ａ，３７ａをピニオン３８側に向けて設置されており、ピニオン３８の回転に伴って水平状態を維持してホッパー２０に対して近接離反する。
【００５９】
ラック３６は、ピニオン３８に対して上方に位置している。ラック３６の上方には、錠剤供給部６から払い出される錠剤を受け止め、ホッパー２０に払い出すための容器３４が取り付けられている。
【００６０】
また、ラック３７は、ピニオン３８に対して下方に位置している。ラック３７には、図１０に示すようにシャッター板３９が取り付けられている。シャッター板３９は、ラック３７の底面側から上方に立ち上がる立ち上がり部分（立ち上がり部３９ａ）と、ホッパー２０側に突出した部分（閉塞部３９ｂ）とを有する。
【００６１】
駆動装置３５は、ピニオン３８を回転させることによってラック３７をホッパー２０に対して近接離反させると、これに連動して閉塞部３９ｂがホッパー２０に設けられた錠剤通路２３の天面側の開口部分に沿って摺動する。そのため、駆動装置３５は、図１０（ｂ）に示すように、ピニオン３８を作動させてラック３７をホッパー２０側に突出させることにより、閉塞部３９ｂによって錠剤通路２３を閉塞することができる。また、駆動装置３５は、図１０（ｃ）に示すように、ピニオン３８を作動させてラック３６をホッパー２０側に突出させることにより、容器３４をホッパー２０の上方に移動させることができる。
【００６２】
分包ユニット４０は、上記したホッパー２０において薬剤が充填された半袋状の分包紙１５をシールして、密閉された袋状にするためのものである。分包ユニット４０は、図１１に示すように、箱体４１の内部に、分包紙搬送部４３と、シール部４５とを設けた構成とされている。
【００６３】
箱体４１は、ホッパー２０に隣接する位置に分包紙１５の入口４６ａを有し、この反対側に出口４７ｂを有する。分包紙搬送部４３は、箱体４１の入口４６ａ側に設けられている。分包紙搬送部４３は、支持部４７と駆動部４８とを有する。
【００６４】
支持部４７は、薬剤が充填された分包紙１５を下方（閉塞部１５ａ側）から支持し、箱体４１の内側に向けて案内する部分である。また、駆動部４８は、ローラ５０，５１と、モータ５２とを有する。図１１（ａ）では図示の都合でローラ５１を省略しているが、ローラ５０，５１は、図１１（ｂ）に示すように入口４６ａ側から入ってくる分包紙１５のシート１３（シート１３ａ，１３ｂ）の重ね合わせ部分の上端（開放部１５ｂ）側の端部近傍を挟むことが可能な位置に設置されている。ローラ５０はモータ５２の動力を受けて回転する駆動用のローラである。分包ユニット４０は、モータ５２を作動させることにより、ローラ５０，５１によって分包紙１５を挟んだ状態で、シール部４５側に向けて送ることができる。
【００６５】
モータ５２には、いわゆるステッピングモータが採用されており、所定の電気信号（パルス信号）を入力することにより回転軸が一定の角度だけ回転する。そのため、分包ユニット４０は、モータ５２に入力する電気信号のパルス数を調整することにより、分包紙１５の進行量を調整することができる。
【００６６】
シール部４５は、図１１に示すように第１シールブロック５３と第２シールブロック５５とを有する。第１シールブロック５３は、図１１（ｂ）に示すように融着片５３ａ，５３ｂが対向し、融着片５３ａ，５３ｂが互いに近接離反可能なように設置されている。また、第２シールブロック５５についても、融着片５５ａ，５５ｂが互いに対向するように設置されており、これらが近接離反可能なように設置されている。融着片５３ａ，５３ｂおよび融着片５５ａ，５５ｂは、それぞれ通電により発熱するものである。融着片５３ａ，５３ｂおよび融着片５５ａ，５５ｂは、互いに離反した状態において分包紙１５が通過可能な程度の間隔を開けて配されている。
【００６７】
融着片５３ａは、図１１（ａ）に示すように、略「Ｌ」字形の形状を有し、上端融着部５６と下流端融着部５７とに大別される。上端融着部５６は、分包ユニット４０の箱体４１内に分包紙１５が侵入して来た際に、分包紙１５が進行する方向に延びる部分である。上端融着部５６は、分包紙１５の上端側、すなわちシート１３（シート１３ａ，１３ｂ）が未だシールされていない開放部１５ｂ側の端部近傍が通過する位置に配されている。また、下流端融着部５７は、上端融着部５６に対して分包紙１５の進行方向下流側（図１２（ａ），（ｂ）において右側）の位置に隣接しており、上端融着部５６に対して下方に向けて延出している。融着片５３ｂは、融着片５３ａと同一の形状、大きさの部材である。融着片５３ａ，５３ｂは、上端融着部５６，５６同士、下流端融着部５７，５７同士が平行となるように配されている。
【００６８】
融着片５５ａは、図１１（ａ）に示すように、略「Ｌ」字形の形状を有し、上端融着部５８と上流端融着部５９とに大別される。上端融着部５８は、上記した融着片５３ａの上端融着部５６の延長線上に位置している。上流端融着部５９は、上端融着部５６に対して分包紙１５の進行方向上流側（図１２（ａ），（ｂ）において左側）の位置に隣接しており、上端融着部５８に対して下方に向けて延出している。また、上流端融着部５９は、上記した融着片５３ａの下流端融着部５７に対してスリット状の隙間を空けて配されている。融着片５５ｂは、融着片５５ａと同一の形状、大きさの部材であり、上端融着部５８，５８同士、下流端融着部５９，５９同士が平行となるように配されている。
【００６９】
上記したように、シール部４５は、入口４６ａから入ってくる分包紙１５の進行方向に第１シールブロック５３と第２シールブロック５５とを並べて配した構成となっている。そのため、モータ５２を作動させて分包紙１５をシール部４５に送り込んで第１シールブロック５３および第２シールブロック５５を作動させると、図１２（ａ）にハッチングで示すように先ず第１シールブロック５３の融着片５３ａ，５３ｂによって分包紙１５の上端側（開放部１５ｂ側）の端部と、分包紙１５の進行方向下流側の端部とがシールされる。
【００７０】
その後、モータ５２を作動させて、分包紙１５を融着片５３ａ，５３ｂの上端融着部５６に相当する距離だけ送り、第２シールブロック５５の融着片５５ａ，５５ｂを近接させると、図１２（ｂ）にハッチングで示すように、分包紙１５の上端側（開放部１５ｂ側）の端部と、分包紙１５の進行方向上流側の端部とがシールされ、密封された薬包６０が形成される。さらにモータ５２を作動させると、薬剤が１包分ずつ分包紙１５によって密封された状態でシール部４５の出口４６から排出される。
【００７１】
続いて、本実施形態の薬剤分包装置１の動作について、図１３に示すフローチャートを参照しながら詳細に説明する。薬剤分包装置１は、錠剤や散薬を錠剤供給部６や散薬供給部７にセットした後、図示しない起動スイッチをオン状態にすると、ステップ１およびステップ２において分包紙１５を構成するシート１３（シート１３ａ，１３ｂ）の一部を接着して半袋状にする接着動作と、錠剤供給部６や散薬供給部７から錠剤や散薬をホッパー２０を介して分包紙１５内に払い出す払い出し動作が行われる。
【００７２】
さらに具体的には、起動スイッチがオン状態になると、ステップ１においてシール部４５の内部に設けられた第１シールブロック５３の融着片５３ａ、５３ｂによって分包紙１５を構成するシート１３（シート１３ａ，１３ｂ）の下流端側の部位がシール（接着）される。これにより、分包紙１５が、図１２（ａ）のように進行方向上流端側の部位を除く部位が閉塞された半袋状の状態とされる。
【００７３】
また、ステップ１において分包紙１５の接着動作が実施されると、これとほぼ同時に払い出し動作が実施される。すなわち、薬剤分包装置１は、起動スイッチがオン状態になると、ホッパー２０に隣接する位置に設けられた駆動装置３５のピニオン３８が作動し、錠剤供給部６に複数の設けられた錠剤収容部８の下方に容器３４が移動する。容器３４が処方すべき錠剤が収容されている錠剤収容部８の下方に到達すると、当該錠剤収容部８の底板が開き、これに収容されている錠剤が容器３４内に払い出される。このようにして処方すべき錠剤が容器３４内に収容されると、ピニオン３８が再度作動し、図１０（ｃ）のように容器３４がホッパー２０の錠剤通路２３の真上に移される。その後、容器３４の底板が開かれ、容器３４内に溜まっている錠剤が錠剤通路２３に払い出される。錠剤通路２３に払い出された錠剤は、薬剤投下部２８を通って、上記した接着動作で半袋状とされた分包紙１５内に払い出される。
【００７４】
また、ステップ２では、桝１０に充填した散薬がこの下方に配された分割容器１１に投入され、分割容器１１に複数設けられた散薬収容部１２に略均等に投入される。その後、複数の散薬収容部１２のうちの一つの底板が開放され、散薬収容部１２に収容されている散薬が散薬通路２５に払い出される。
【００７５】
ここで、上記したように、散薬通路２５の下方側の開口部は、常時は開閉板２６によって閉塞されている。そのため、散薬収容部１２から払い出された散薬は、一旦散薬通路２５に溜まる。散薬は、散薬通路２５に溜め置かれた後、所定のタイミングで散薬通路２５に設けられた開閉板２６が開くことにより、薬剤投下部２８に落とし込まれ、分包紙１５内に払い出される。
【００７６】
説明を制御フローに戻すと、上記したようにしてステップ２において半袋状の分包紙１５への薬剤の払い出しが行われると、制御フローがステップ３に移行し、分包動作が開始され、ステップ２においてホッパー２０から払い出された薬剤が分包される。
【００７７】
さらに具体的に説明すると、分包動作が開始されると、シール部４５のローラ５０，５１が作動し、分包紙１５が進行方向下流側（出口４６ｂ側）に第１シールブロック５３の上端融着部５６に相当する長さだけ進められる。
【００７８】
その後、第１シールブロック５３の融着片５３ａ，５３ｂおよび第２シールブロック５５の融着片５５ａ，５５ｂが互いに近接する方向に作動する。そして、図１２（ｂ）に示すように、第２シールブロックの上端融着部５８，５８によって先の制御フローにおいてシールされているシート１３（シート１３ａ，１３ｂ）の開放部１５ｂ側の部位に対して分包紙１５の進行方向下流側に隣接する位置がシールされると共に、上流端融着部５９，５９によって上流端側の開口部分がシールされる。これにより、分包紙１５によって薬剤を分包した薬包６０が完成する。
【００７９】
また、これと同時に第１シールブロック５３の融着片５３ａ，５３ｂが近接する方向に移動する。これにより、図１２に破線で示すように、薬包６０に対して分包紙１５の進行方向下流側に隣接する位置において分包紙１５がシールされ、次の処方のための薬包６０の一部が形成される。
【００８０】
上記したようにして薬包６０が完成すると、融着片５３ａ，５３ｂの下流端融着部５７，５７によってシールされた部位と、融着片５５ａ，５５ｂの上流端融着部５９，５９によってシールされた部位との境界部分６１が図示しないカッターによって切断され、薬包６０が分包紙１５から分割される。分包紙１５から分割された薬包６０は、シール部４５の箱体４１に設けられた出口４６ｂから排出される。
【００８１】
上記したようにして薬包６０が作製されると、制御フローがステップ４に進み、薬剤分包装置１の起動後、作製された薬包６０がｎ包（ｎは自然数）に達したか否かが確認される。ここで、起動スイッチをオン状態にした後に作製された薬包６０がｎ包に達していない場合は、薬包６０の作製が大して進んでおらず、次の薬包６０の作製時に上記したような分包紙１５と薬剤投下部２８との摩擦に起因する散薬の付着が起こる可能性が低い。そこで、この場合は、制御フローが後述するステップ５に進められる。
【００８２】
一方、ステップ４において、起動スイッチをオン状態にした後に作製された薬包６０がｎ包に達している場合は、薬包６０の作製がある程度進んでおり、さらに薬包６０の作製を継続すると、分包紙１５と薬剤投下部２８との摩擦に起因する静電気が発生し、開口２８ａ近傍が負の電荷に帯電して散薬が付着する可能性が高い。そこで、この場合、制御フローは、ステップ８に進んで照射フラグがオン状態となり、薬剤投下部２８へのイオン照射が開始される。
【００８３】
さらに詳細に説明すると、制御フローがステップ８に移行すると、イオン発生装置７０の高圧電源７１により電極３２に正の高電圧が印加され、電極３２の近辺で気中放電が起こる。
【００８４】
ここで、上記したように、電極３２を保持しているガイド部材３０と、薬剤投下部２８の先端部分は、半袋状の分包紙１５の開放部１５ｂ側から差し込まれている。また、分包紙１５は、図５（ａ）に示すように下端側の閉塞部１５ａが閉塞された樋状の形状となっている。そのため、本実施形態では、分包紙１５によって、電極３２と薬剤投下部２８とを繋ぐ通路（イオン導通路）が形成されている。そのため、電極３２において気中放電を起こすと、これにより発生した正のイオンが分包紙１５によって薬剤投下部２８の開口２８ａ近傍に照射される。ここで発生した正のイオンは、分包紙１５がシール部４５側に向けて進行するのに伴って発生する僅かな気流に巻き込まれ、スムーズに開口２８ａ側に流れる。これにより、分包紙１５と薬剤投下部２８との摩擦によって開口２８ａ近傍の帯電状態が解消され、開口２８ａやこの近傍における散薬の付着を防止することができる。
【００８５】
上記したようにして薬剤投下部２８へのイオン照射が行われると、制御フローがステップ５に進む。
【００８６】
制御フローがステップ５に移行すると、分包動作を終了すべきか否かが確認される。ステップ５において分包動作を継続すべきと判断された場合は、制御フローがステップ２に戻され、上記した一連の動作が繰り返される。一方、ステップ５において、分包動作によって作製すべき薬包６０の数が所定数Ｎ（Ｎは自然数）に達している場合や、分包動作を強制的に終了する場合は、制御フローが後述するステップ６に進められ、集塵動作が実施される。
【００８７】
さらに具体的には、制御フローがステップ６に移行すると、駆動装置３５のピニオン３８が作動し、ラック３７がホッパー２０側に移動する。これに伴って、ラック３７に取り付けられたシャッター板３９の閉塞部３９ｂによってホッパー２０の錠剤通路２３の入口部分が閉塞される。この後、集塵装置２９が起動し、ホッパー２０内に残存している散薬が捕集される。
【００８８】
上記した集塵動作の実施中あるいは集塵動作が完了した後の所定のタイミングで、制御フローがステップ７に移行して照射フラグがオフ状態とされる。これにより、電極３２における気中放電が中止され、薬剤投下部２８へのイオン照射が終了し、一連の制御フローが完了する。
【００８９】
上記した薬剤分包装置１では、薬剤の分包が始まると、ローラ５０，５１がほぼ連続的に作動し、分包紙１５が絶え間なく送られることとなる。そのため、分包紙１５の近傍には、分包紙１５の搬送方向に沿って僅かな気流が発生する。また、薬剤分包装置１は、電極３２が薬剤投下部２８に対して分包紙１５の流れ方向上流側に設けられている。そのため、薬剤の分包のために分包紙１５をシール部４５側に順次送っていくと、電極３２における気中放電により発生したイオンが分包紙１５と共に薬剤投下部２８側に流れて開口２８ａ近傍に至り、開口２８ａに帯電した静電気を中和することができる。従って、薬剤分包装置１によれば、分包紙１５と薬剤投下部２８との摩擦が発生しても、薬剤投下部２８の開口２８ａ近傍に散薬が付着するのを防止できる。
【００９０】
また、上記したように、薬剤分包装置１では、電極３２および薬剤投下部２８が共に樋状の分包紙１５の内側に存在している。そのため、薬剤分包装置１では、分包紙１５が気中放電によって発生するイオンが通るイオン導通路となり、イオンを薬剤投下部２８の開口２８ａやこの近傍に集中的に照射させることができる。従って、薬剤分包装置１は、開口２８ａやこの近傍が帯電し、散薬が付着して汚れたり、予期せぬ位置に散薬が落下して薬包６０のシール不良が起こるのを防止できる。
【００９１】
本実施形態の薬剤分包装置１は、電極３２が薬剤投下部２８から分包紙１５の進行方向上流側に配された構成であり、薬剤投下部２８に対してイオンを直接的に照射することができる。そのため、薬剤分包装置１は、気中放電で発生したイオンの大部分を薬剤投下部２８に対して照射することができ、薬剤投下部２８の帯電を効率よく解消あるいは防止することができる。
【００９２】
なお、上記実施形態では、電極３２を薬剤投下部２８に対して、分包紙１５の進行方向上流側に配した構成を例示したが、本発明はこれに限定されるものではなく、電極３２が薬剤投下部２８の下流側に配されていてもよい。この場合、電極３２は、先端が分包紙１５の進行方向下流側から上流側、すなわちシール部４５側から支持軸１９側に向かう方向に延伸するように取り付けられることが望ましい。また、薬剤投下部２８の下流側に電極３２を取り付ける場合についても、電極３２は、上記実施形態と同様に延長線上に薬剤投下部２８の先端部分（開口２８ａ近傍の部位）が位置するように取り付けられることが望ましい。
【００９３】
上記実施形態では、電極３２を樋状の分包紙１５の内側に配し、分包紙１５をイオン導通路として利用する構成を例示したが、本発明はこれに限定されるものではなく、例えば図１４に示すように分包紙１５の外側に電極３２を配すると共に、電極３２近傍から薬剤投下部２８の開口２８ａ近傍に向けて筒状や樋状のイオン導通路７５を設けた構成としてもよい。かかる構成とした場合についても、電極３２に高電圧を印加して気中放電を起こすことにより発生するイオンを開口２８ａ近傍に集中的に照射することができる。なお、上記したようにしてイオン導通路７５を設ける場合、電極３２は、イオン導通路７５の内側にあっても外側にあってもよい。
【００９４】
薬剤分包装置１は、電極３２がガイド部材３０に保持された状態で設置されている。また、電極３２は、ガイド部材３０の下端部よりもやや上方の位置（中間部）に保持されている。そのため、ガイド部材３０が分包紙１５に直接触れても、電極３２が分包紙１５に触れたり引っかかったりしない。従って、薬剤分包装置１では、電極３２による分包紙１５の破損が起こらない。
【００９５】
また、ガイド部材３０は、下端部が半袋状となった分包紙１５の底部（閉塞部１５ａ）を開放部１５ｂ側から押さえることができる。そのため、本実施形態の薬剤分包装置１では、分包紙１５に大量の薬剤が充填されて分包紙１５が膨らむなどして、分包紙１５の底部が引っ張られて持ち上がろうとするのをガイド部材３０で阻止することができる。
【００９６】
本実施形態の薬剤分包装置１では、薬剤投下部２８がポリスチレン樹脂で作製されており、分包紙１５がポリエチレン樹脂によってコーティングされたものであるため、両者が摩擦すると、帯電列に基づいて摩擦部２８ｂに正の電荷が集中した状態になり、開口２８ａ近傍が負の電荷が集中した状態になるものと想定される。そこで、本実施形態では、電極３２に正の高電圧を印加し、正のイオンを発生させる構成としている。そのため、薬剤分包装置１では、薬剤投下部２８の開口２８ａやこの近傍（突端部分）の電荷を中和し、薬剤の付着を解消することができる。
【００９７】
なお、上記実施形態では、薬剤投下部２８がポリスチレン樹脂製であり、分包紙１５がポリエチレン樹脂によってコーティングされていることに鑑み、正の高電圧を電極３２に印加する構成であったが、本発明はこれに限定されるものではない。さらに具体的には、表１に示す帯電列を参照すると、例えば分包紙１５として上記実施形態と同一のものを採用した場合であっても、薬剤投下部２８の素材を塩化ビニール樹脂とした場合、上記実施形態の場合とは電荷の極性が逆転する。すなわち、薬剤投下部２８の摩擦部２８ｂが負の電荷で帯電し、開口２８ａやこの近傍が正の電荷で帯電することとなる。従って、この場合は、開口２８ａやこの近傍の帯電を解消するためには、電極３２に負の高電圧を印加する必要がある。
【００９８】
上記したように、本実施形態では、ホッパー２０に隣接する位置に駆動装置３５を設け、ピニオン３８を作動させることによりホッパー２０の錠剤通路２３の入口を閉塞可能な構成とされている。そのため、薬剤分包装置１は、集塵動作を実施する際に錠剤（固形薬剤）用の錠剤通路２３側から空気が吸入されることによる集塵能力の低下を抑制することができる。
【００９９】
なお、上記実施形態では、駆動装置３５によって錠剤供給部６から払い出された錠剤を受け止めるための容器３４と、錠剤通路２３の閉塞用のシャッター板３９の双方を作動させる構成であったが、本発明はこれに限定されず、両者の駆動源を別々に設けた構成としてもよい。また、駆動装置３５は、ラック３６，３７とピニオン３８を組み合わせて構成される、いらゆるラック・ピニオン機構を利用したものであったが、これに限らず他の機構を利用して容器３４やシャッター板３９を作動させる構成としてもよい。
【０１００】
薬剤分包装置１は、シャッター板３９を備えたものであったが、本発明はこれに限定されず、シャッター板３９を設けない構成としてもよい。また、シャッター板３９は、錠剤通路２３の入口の開口部分に沿って摺動して閉塞するものであったが、例えば錠剤通路２３の中途にスリットを設け、このスリットを介してシャッター板３９を出入りさせる構成としてもよい。
【０１０１】
上記実施形態では、図１３に示すように、分包動作が一通り完了した後に集塵動作を実施する構成を例示したが、本発明はこれに限定されるものではなく、分包動作と集塵動作とを同時に実施する構成としてもよい。かかる構成とした場合、分包動作中に薬剤投下部２８に照射されているイオンが開口２８ａからホッパー２０の内側に取り込まれ、ホッパー２０の内面における帯電を予防したり解消したりすることができる。
【０１０２】
なお、上記したように分包動作と並行して集塵動作を実施する場合、分包紙１５に払い出すべき散薬が集塵装置２９に吸い込まれる等の不具合が予測される場合は、分包動作中における集塵装置２９の集塵能力を制限してもよい。
【０１０３】
上記したように、本実施形態の薬剤分包装置１では、電極３２に高電圧が印加される。そのため、薬剤分包装置１は、予期せぬ事故等を防止すべく、電極３２に高電圧が印加されていることを示すランプ等の警告手段を設けた構成としてもよい。また、メンテナンス時等の安全性を確保すべく、薬剤分包装置１は、何らかのエラー等が発生した時に電極３２への通電を強制的に停止し、イオンの発生を停止させる構成としてもよい。
【０１０４】
また、上記実施形態では、図１３のフローチャート等に示すように一旦イオン照射が開始されると分包動作が完了するまで電極３２への通電が継続される構成であったが、例えば薬包６０を一つ作製するたびに電極３２への通電を一旦停止する構成としてもよい。かかる構成によれば、電極３２における電力消費を最小限に抑制することができる。
【０１０５】
上記実施形態では、分包紙１５として予め帯状のシート１３を短手方向の略中央部で折り畳んだものや、予めシート１３ａ，１３ｂの一端をシールしてつなぎ合わせたものを採用する例を例示したが、本発明はこれに限定されるものではない。さらに具体的には、例えば、薬剤分包装置１を帯状のシート１３を折り畳む機構や、２枚のシート１３ａ，１３ｂの一端部分をシールする機構を内蔵した構成とすれば、分包紙１５として単なる帯状のシート１３を採用することができる。
【図面の簡単な説明】
【０１０６】
【図１】本発明の一実施形態にかかる薬剤分包装置を示す斜視図である。
【図２】図１に示す薬剤分包装置の本体の内部構造を示す正面図である。
【図３】図１に示す薬剤分包装置の本体の内部構造を示す斜視図である。
【図４】散薬供給部の構造を模式的に示す斜視図である。
【図５】分包紙の構成を示す斜視図である。
【図６】分包部の構成を模式的に示す概念図である。
【図７】ホッパーの構造を示す分解斜視図である。
【図８】（ａ）はガイド部材を示す斜視図であり、（ｂ）は（ａ）の分解斜視図である。
【図９】イオン発生装置の構成を模式的に示す概念図である。
【図１０】（ａ）〜（ｃ）はそれぞれ駆動装置の構成および駆動装置の駆動状態を模式的に示す概念図である。
【図１１】（ａ）は分包ユニットの内部構造を示す斜視図であり、（ｂ）は分包ユニットの内部構造を示す模式図である。
【図１２】（ａ）は薬包の作製の第１段階を示す模式図であり、（ｂ）は薬包の作製の第２段階を示す模式図である。
【図１３】図１に示す薬剤分包装置の動作を示すフローチャートである。
【図１４】分包部の構成の変形例を示す概念図である。
【符号の説明】
【０１０７】
１    薬剤分包装置
５    分包部
１３，１３ａ，１３ｂ  シート
１５    分包紙（分包用シート）
１５ａ  閉塞部
１５ｂ  開放部
２０    ホッパー
２２    供給部（集合ホッパー）
２３    錠剤通路（固形薬剤用ホッパー）
２５    散薬通路（散薬用ホッパー）
２７    ホルダー部
２７ｂ  排気口
２８    薬剤投下部
２８ｂ  摩擦部
３０    ガイド部材
３０ｂ  電極保持部材
３１    先端部
３２    電極（イオン発生部）
３９ｂ  閉塞部
４０    分包ユニット
５０，５１  ローラ（シート搬送手段）
６０    薬包
７０    イオン発生装置
７５    イオン導通路
【図１】
2007039111.tif 000004
【図２】
2007039111.tif 000005
【図３】
2007039111.tif 000006
【図４】
2007039111.tif 000007
【図５】
2007039111.tif 000008
【図６】
2007039111.tif 000009
【図７】
2007039111.tif 000010
【図８】
2007039111.tif 000011
【図９】
2007039111.tif 000012
【図１０】
2007039111.tif 000013
【図１１】
2007039111.tif 000014
【図１２】
2007039111.tif 000015
【図１３】
2007039111.tif 000016
【図１４】
2007039111.tif 000017